(57)【要約】 【課題】  隣接する放電空間の間でプラズマの移動を制限して、電流偏流現象を抑制できる面光源装置及びこれを有する液晶表示装置を提供すること。【解決手段】  面光源装置は、内部空間を有する光源本体を含む。光源本体の内部空間に隔壁が配置され、内部空間を多数個の放電空間に区画する。隔壁の両端は、光源本体の内壁に接する。隔壁には、放電空間を互いに連結する連通孔が形成される。放電ガスに放電電圧を印加して、各放電空間にプラズマを形成させる電圧印加部が光源本体に具備される。プラズマが連通孔を通じて移動することを制限する障壁が連通孔と隣接するように配置される。障壁により連通孔の入口が狭くなるので、連通孔を通じたプラズマの移動が制限される。従って、面光源装置の輝度均一性が向上される。【選択図】      図１
2005142158.tif 000002
【特許請求の範囲】
【請求項１】
内部空間を有する光源本体と、
前記内部空間に配置され前記内部空間を互いに隔離された多数個の放電空間に区画し、前記光源本体の内壁に接する端部及び前記放電空間を互いに連結する連通孔を有する隔壁と、
前記連通孔と隣接するように配置され、前記放電ガスから形成されるプラズマが前記連通孔を通じて移動することを制限する障壁と、を含む面光源装置。
【請求項２】
前記光源本体は、
第１基板と、
所定間隔をおいて前記第１基板に対向する第２基板と、
前記第１及び第２基板の間の外周部に配置され、前記内部空間を形成する密封部材と、を含むことを特徴とする請求項１記載の面光源装置。
【請求項３】
前記連通孔は、前記プラズマの密度が低い領域に対応する前記隔壁の位置に形成されたことを特徴とする請求項１記載の面光源装置。
【請求項４】
複数の隔壁を更に含み、各前記連通孔は各前記隔壁の中央部にそれぞれ形成されたことを特徴とする請求項３記載の面光源装置。
【請求項５】
各前記連通孔は各前記隔壁の端部から離隔された位置に形成され、前記連通孔は前記隔壁の長手方向とほぼ垂直な方向に沿って交互に配列されることを特徴とする請求項４記載の面光源装置。
【請求項６】
各前記隔壁は複数の連通孔を含み、各前記連通孔は各前記隔壁の端部に隣接して形成されたことを特徴とする請求項３記載の面光源装置。
【請求項７】
前記障壁の高さは、前記隔壁の高さより低いことを特徴とする請求項１記載の面光源装置。
【請求項８】
前記障壁の高さは、前記連通孔の直径より長いことを特徴とする請求項７記載の面光源装置。
【請求項９】
前記障壁は、前記隔壁から離隔されたことを特徴とする請求項７記載の面光源装置。
【請求項１０】
前記障壁は、前記隔壁から大略１ｍｍ離隔されたことを特徴とする請求項９記載の面光源装置。
【請求項１１】
前記障壁は、前記隔壁に接する両端部を有することを特徴とする請求項７記載の面光源装置。
【請求項１２】
前記隔壁に対して前記障壁に対向して配置された補助障壁を更に含むことを特徴とする請求項１記載の面光源装置。
【請求項１３】
前記放電空間に電圧を印加する電圧印加部を更に含むことを特徴とする請求項１記載の面光源装置。
【請求項１４】
前記電圧印加部は、前記隔壁の長手方向とほぼ直交する方向に沿って前記光源本体の外面を囲む電極を含むことを特徴とする請求項１３記載の面光源装置。
【請求項１５】
第１基板と、
所定間隔をおいて前記第１基板に対向する第２基板と、
前記第１及び第２基板の間の外周部に配置され、内部空間を形成する密封部材と、
前記内部空間に配置され前記内部空間を互いに隔離された多数個の放電空間に区画し、前記密封部材の内壁に接する端部及び前記放電空間を互いに連結する連通孔を有する隔壁と、
前記第１及び第２基板の外面に設けられ、前記各放電空間内の放電ガスに電圧を印加してプラズマを発生させる電圧印加部と、
前記各放電空間内に前記連通孔と隣接するように配置され、前記プラズマが前記連通孔を通じて移動することを制限する障壁と、を含む面光源装置。
【請求項１６】
前記連通孔は、前記プラズマの密度が低い領域に対応する前記隔壁の位置に形成されたことを特徴とする請求項１５記載の面光源装置。
【請求項１７】
複数の隔壁を更に含み、各前記連通孔は各前記隔壁の端部から離隔された位置に形成され、前記連通孔は前記隔壁の長手方向とほぼ垂直な方向に沿って交互に配列されることを特徴とする請求項１６記載の面光源装置。
【請求項１８】
各前記隔壁は複数の連通孔を含み、各前記連通孔は各前記隔壁の端部に隣接して形成されたことを特徴とする請求項１６記載の面光源装置。
【請求項１９】
前記障壁の高さは前記隔壁の高さより低く、前記連通孔の直径より長いことを特徴とする請求項１５記載の面光源装置。
【請求項２０】
前記障壁は、前記隔壁から離隔されたことを特徴とする請求項１９記載の面光源装置。
【請求項２１】
前記障壁は、前記隔壁に接する両端部を有することを特徴とする請求項１９記載の面光源装置。
【請求項２２】
前記隔壁に対して前記障壁に対向して配置された補助障壁を更に含むことを特徴とする請求項１５記載の面光源装置。
【請求項２３】
内部空間を有する光源本体、前記内部空間に配置され前記内部空間を互いに隔離された多数個の放電空間に区画し、前記光源本体の内壁に接する端部及び前記放電空間を互いに連結する連通孔を有する隔壁、及び前記連通孔に隣接するように配置され前記放電ガスから形成されるプラズマが前記連通孔を通じて移動することを制限する障壁を含む面光源装置と、
前記面光源装置から発生した光を液晶を用いてイメージ光に変更させる液晶表示パネルと、を含む液晶表示装置。
【発明の詳細な説明】
【技術分野】
【０００１】
本発明は、面光源装置及びこれを有する液晶表示装置に関し、より詳細には、電流偏流現象を抑制できる面光源装置と、このような面光源装置を光源として有する液晶表示装置に関するものである。
【背景技術】
【０００２】
一般に、液晶は、電気的特性及び光学的特性を共に有する。液晶の分子配列は、電気的特性により電界の方向に対応して変化し、液晶の光透過率は光学的特性により液晶の分子配列に対応して変化する。
【０００３】
液晶表示装置は、液晶の電気的特性及び光学的特性を用いて画像を表示する。液晶表示装置は、ＣＲＴ等と比較して嵩が非常に小さく、重量が軽いという長所を有する。従って、携帯用コンピュータ、通信機器、液晶ＴＶ、及び宇宙航空産業等に広く用いられている。
【０００４】
液晶を制御するために、液晶表示装置は、液晶を制御する液晶制御部、及び液晶に光を供給する光供給部とを必要とする。
【０００５】
液晶制御部は、第１基板に配置された画素電極、第２基板に配置された共通電極、及び画素電極と共通電極との間に介在された液晶を含む。画素電極は解像度に対応して複数個で構成され、共通電極は画素電極と対向して１個で構成される。各画素電極には、互いに異なるレベルを有する画素電圧を印加するために、薄膜トランジスタが接続され、共通電極には、同じレベルの基準電圧（ｒｅｆｅｒｅｎｃｅ  ｖｏｌｔａｇｅ）が印加される。画素電極及び共通電極は、透明な導電性物質で形成される。
【０００６】
光供給部は、液晶制御部の液晶に光を供給する。光は、画素電極、液晶、及び共通電極を順次に通過する。このとき、液晶を通過した画像の表示品質は、光供給部の輝度及び輝度均一性により大きく影響を受ける。一般に、輝度及び輝度均一性が高いほど、表示品質は良好になる。
【０００７】
従来の液晶表示装置の光供給部は、棒形状を有する冷陰極線管方式ランプ（ＣＣＦＬ）又はドット形状を有する発光ダイオード（ＬＥＤ）が主に用いられる。冷陰極線管方式ランプは輝度が高く、寿命が長く、白熱灯に比較して非常に発熱量が小さいという長所を有する。一方、発光ダイオードは低消費電力及び高輝度長所を有する。しかし、従来の冷陰極線管方式ランプ又は発光ダイオードは、輝度均一性が低いという短所を有する。
【０００８】
従って、冷陰極線管方式ランプ又は発光ダイオードを光源として有する光供給部は、輝度均一性を向上させるために、導光板（ＬＧＰ）、拡散部材、及びプリズムシート等の光学部材を含む。これにより、冷陰極線管方式ランプ又は発光ダイオードを用いる液晶表示装置は、光学部材による嵩及び重量が増加するという問題点を有する。
【０００９】
このような問題点を解決するために、平板形態の面光源装置が提示される。従来の面光源装置は、所定間隔をおいて対向配置された第１及び第２基板を含む。複数個の隔壁が第１及び第２基板の間に配置される。隔壁は一定な等間隔で平行に配置され、第１及び第２基板の間に放電空間を提供する。密封部材が第１及び第２基板の外周部全体を密封し、放電空間を外部と隔離させる。放電空間には放電ガスが注入される。、放電ガスに電圧を印加するための電極が第１及び第２基板の両側縁部の外周面に配置される。
【００１０】
隔壁は、隣接する放電空間が互いに連結されるようにするために蛇行構造で配置される。即ち、いずれか一つの隔壁が密封部材に接触した一端と、接触しない他端を有し、隣接する他の隔壁が密封部材に接触しない一端と、接触した他端を有する。ここで、放電ガスの分布が不均一な場合、隣接した放電空間から発生される電場の強度が異なる場合がある。このような場合、従来の面光源装置では、隣接した放電空間が連結通路により直接的に連結され、プラズマの移動経路が非常に短いので、電流偏流現象が非常に激しく発生するという問題点がある。電流偏流現象とは、隣接する放電空間の電場の強度が異なる場合、プラズマの密度差によりプラズマが、電場の強度が低い放電空間に移動する現象である。結果的に、面光源装置は電流偏流現象により光の輝度が不均一となる。
【発明の開示】
【発明が解決しようとする課題】
【００１１】
従って、本発明はこのような従来の問題点を勘案したものであって、本発明の第１目的は、隣接する放電空間の間でプラズマの移動を制限して、電流偏流現象を抑制できる面光源装置を提供することにある。
【００１２】
本発明の第２目的は、前記のような面光源装置を有する液晶表示装置を提供することにある。
【課題を解決するための手段】
【００１３】
本発明の第１目的を達成するために、本発明による面光源装置は、内部空間を有する光源本体を含む。光源本体の内部空間に隔壁が配置され、内部空間を多数個の放電空間に区画する。隔壁の両端は、光源本体の内壁に接する。隔壁には、放電空間を互いに連結する連通孔が形成される。放電ガスに放電電圧を印加して、各放電空間にプラズマを形成させる電圧印加部が光源本体に具備される。プラズマが連通孔を通じて移動することを制限する障壁が連通孔と隣接するように配置される。
【００１４】
本発明の第２目的を達成するために、本発明による液晶表示装置は、前記面光源装置及び面光源装置から発生した光を、液晶を用いてイメージ光に変更させる液晶表示パネルを含む。
【発明を実施するための最良の形態】
【００１５】
以下、添付図面を参照して、本発明の好ましい実施形態を詳細に説明する。
【００１６】
図１は本発明の一実施形態による面光源装置を示す一部切開斜視図であり、図２は図１の面光源装置を示す平面図であり、図３は図２の面光源装置が有する隔壁の断面図である。
【００１７】
図１乃至図３を参照すると、本実施形態による面光源装置１００は、光源本体１０１、隔壁１３０、及び第１及び第２電極１４２、１４４を含む。光源本体１０１は、第１基板１１０、第２基板１２０、及び密封部材１５０を含む。
【００１８】
第１基板１１０と第２基板１２０は、可視光線は透過させて紫外線は遮断するガラス基板である。第２基板１２０は、第１基板１１０の上部に所定間隔をおいて対向配置される。本実施形態において、第２基板１２０の厚さは、第１基板１１０の厚さの約１／３程度である。しかし、第１及び第２基板１１０、１２０の厚さは、必ずこれに限定されることではない。別の実施形態として、第２基板は第１基板とほぼ同じ厚さを有することができる。
【００１９】
第１蛍光層（図示せず）及び第２蛍光層（図示せず）は、それぞれ第１基板１１０及び第２基板１２０の内面側に形成されることができる。又、反射層（図示せず）は、第１基板１１０と第１蛍光層との間に配置されることができる。長方形枠形状を有する密封部材１５０が、第１基板１１０と第２基板１２０の外周部間に介在される。即ち、密封部材１５０の上面は第２基板１２０の下面に接触し、密封部材１５０の下面は第１基板１１０の上面に接触する。従って、第１及び第２基板１１０、１２０の間の空間が密封部材１５０により外部と隔離された放電空間１１２として提供される。そして、放電空間１１２に放電ガスが注入される。密封部材１５０は、第１基板１１０及び第２基板１２０とほぼ同じ熱膨張係数を有する物質であることが好ましい。
【００２０】
多数個の隔壁１３０が第１基板１１０と第２基板１２０との間の空間に配置され、第１及び第２基板１１０、１２０の間の空間を複数個の放電空間１１２に区画する。長いプレート形状の各隔壁１３０は第１方向に延びると共に、第２方向に等間隔をおいて平行に配置される。隔壁１３０は、透明又は不透明な硬化性物質で形成される。
【００２１】
図２を参照すると、隔壁１３０は、第１方向と垂直である第２方向と平行な密封部材１５０（図２における左右）の両側内壁にそれぞれ接触する両端部を有する。従って、区画された放電区間１１２は、隔壁１３０により完全遮断される。放電ガスが各放電空間１１２に注入されるようにするために、連通孔１３１が隔壁１３０の中央部位を貫通して形成される。特に、各連通孔１３１は、第２方向において一直線上に配置されないように、ジグザグ形態で配列されることが好ましい。
【００２２】
一方、図３に示すように、連通孔１３１は第１基板１１０に隣接した隔壁１３０の下部、第２基板１２０に隣接した隔壁１３０の上部、又は隔壁１３０の中央部に形成されることができる。本実施形態では、プラズマは放電空間１１２の下部領域よりは中間以上の領域に主に集中され位置しているので、連通孔１３１は隔壁１３０の下部に形成される。従って、放電ガスは、連通孔１３１を通じて自由に流れることができるが、プラズマは連通孔１３１を通じて他の放電空間１１２に容易に移動できないことになる。連通孔１３１は、円形、四角形、三角形等の多様な形状を有することができる。
【００２３】
隣接する放電空間１１２の間に発生する電流偏流現象をより抑制するために、本発明による面光源装置１００は障壁１３２を有する。本実施形態では、面光源装置１００は複数の障壁１３２を有する。図２を参照すると、障壁１３２は連通孔１３１に隣接するように第１基板１１０上に平板形状で形成される。即ち、平板形状の障壁１３２は、隔壁１３０とほぼ平行に配列される。障壁１３２は、連通孔１３１が放電空間１１２に直接露出しないように、連通孔１３１に隣接するように配置され、又、連通孔１３１の直径より長い高さを有して連通孔１３１の入口を狭める。即ち、障壁１３２は、連通孔１３１を通じて流れることができるプラズマの流量を減らすことにより、電流偏流現象を最大限抑制する役割を行う。従って、障壁１３２は連通孔１３１を通じて放電ガスの流れを制限することなく、プラズマの流れを制限するように連通孔１３１に最大限隣接するように配置されることが好ましい。障壁１３２は、隔壁１３０から略１ｍｍ程度離隔された位置に配置されることが好ましい。
【００２４】
障壁１３２は、主にモルタル材質である隔壁１３０と同じ材質で形成することができる。隔壁１３０は、第１基板１１０上にスクリーン印刷方式で形成されるので、障壁１３２は隔壁１３０と共に形成することができる。
【００２５】
図１を更に参照すると、第１電極１４２及び第２電極１４４は、第１基板１１０及び第２基板１２０の外面に配置される。具体的に、第１電極１４２は隔壁１３０の第１端部がある位置で第２方向に沿って第１及び第２基板１１０、１２０の外面を囲む。第２電極１４４は、隔壁１３０の第２端部がある位置で第２方向に沿って第１及び第２基板１１０、１２０の外面を囲む。これと異なり、第１電極１４２及び第２電極１４４のうち、いずれか一つを放電空間１１２の内部に配置するか、又は第１電極１４２及び第２電極１４４を全部放電空間１１２の内部に配置することもできる。
【００２６】
放電ガスは、隔壁１３０により区画された各放電空間１１２に充填される。即ち、放電ガスは、各連通孔１３１を通じて区画された放電空間１１２に流れることになる。一方、放電ガスは、水銀、ネオン等を含み、放電電圧を低下させるペニング効果（Ｐｅｎｎｉｎｇ  ｅｆｆｅｃｔ）を得るために、微量のアルゴン、クリプトン、キセノン等を更に含むことができる。
【００２７】
このような状態で、第１及び第２電極１４２、１４４から放電ガスに電圧が印加されると、放電ガスが励起され各放電空間１１２にプラズマが形成される。この際、各放電空間１１２の電場の強度が互いに異なる場合、プラズマの密度差により、プラズマが電場の強度が低い放電空間１１２に移動する電流偏流現象が発生することになる。
【００２８】
この際、プラズマが隣接する放電空間１１２に移動できる通路は、連通孔１３１のみである。しかし、連通孔１３１は放電空間１１２の下部に位置するのに対し、プラズマは上部領域の密度より下部領域の密度がより低いので、プラズマは連通孔１３１を通じて隣接する放電空間１１２に容易に移動することができない。更に、障壁１３２により連通孔１３１の入口が狭くなるので、連通孔１３１を通じたプラズマの移動はより制限される。従って、隣接する放電空間１１２の間で発生される電流偏流現象が最大限抑制される。
【００２９】
一方、本実施形態による障壁１３２は、連通孔１３１の一側にのみ配置される。
【００３０】
図４は、本発明の他の実施形態による面光源装置を示す平面図である。
【００３１】
図４を参照すると、面光源装置２００は、障壁２３２及び補助障壁２３３を有する。障壁２３２は、連通孔２３１に隣接するように配置される。補助障壁２３３は、隔壁２３０に対して障壁２３２の反対位置に配置される。従って、連通孔２３１を通じたプラズマの移動が２個の障壁２３２、２３３により更に制限される。
【００３２】
図５は本発明の更に他の実施形態による面光源装置の隔壁の構造を示す平面図であり、図６は図５の面光源装置が有する隔壁を示す断面図である。
【００３３】
図５を参照すると、本実施形態による面光源装置３００は、図２の面光源装置１００の構成とほぼ同じであり、連通孔の位置のみが異なり、これにより障壁が配置される位置も異なる。従って、ここでは連通孔と障壁についてのみ説明し、他の部分についての説明は省略する。
【００３４】
連通孔３３１は、隔壁３３０の両端部に隣接して形成される。即ち、連通孔３３１は、第１及び第２基板（図示せず）の両側縁部の外周面に配置された第１及び第２電極（図示せず）が位置した放電空間３１２に位置することができる。障壁３３２及び補助障壁３３３が連通孔３３１と隣接するように配置され、連通孔３３１の入口を狭くする。
【００３５】
一方、図６に示すように、連通孔３３１は隔壁３３０の下部に形成されることが好ましい。勿論、前述したように、連通孔３３１は隔壁３３０の中央又は上部に形成されることもできる。
【００３６】
図７は、本発明の更に他の実施形態による面光源装置の隔壁の構造を示す平面図である。図７を参照すると、本実施形態による面光源装置４００は、図２の面光源装置１００の構成とほぼ同じであり、障壁の形状のみが異なる。従って、ここでは障壁についてのみ説明し、他の部分についての説明は省略する。
【００３７】
障壁４３２及び補助障壁４３３は、上から見て半楕円形状を有する。半楕円形状の障壁４３２及び補助障壁４３３は、連通孔４３１に隣接するように配置される。特に、半楕円形状の障壁４３２及び補助障壁４３３は、隔壁４３０の側壁に接する。即ち、障壁４３２及び補助障壁４３３は、隔壁４３０に接する両端部を有する。一方、障壁４３２及び補助障壁４３３は、半楕円形状のみならず一面が開口された四角形、三角形、又は半円形状を有することもできる。
【００３８】
従って、連通孔４３１を通過したプラズマの移動経路は、第１基板（図示せず）とほぼ垂直であるので、前記移動経路の長さは増加する。即ち、プラズマは障壁４３２及び補助障壁４３３を越して隣接する放電空間４１２に移動できるが、隣接する放電空間４１２の間でのプラズマの移動現象が最大限抑制される。
【００３９】
図８は、図１の面光源装置を有する液晶表示装置の分解斜視図である。
【００４０】
図８を参照すると、液晶表示装置１０００は、収納容器１２００、面光源装置１００、液晶表示パネル１３００、及びシャーシ１４００を含む。本実施形態に採用された面光源装置１００は、図１に図示された面光源装置と同じなので、重複説明は省略する。
【００４１】
収納容器１２００は、底面１２１０、複数の側壁１２２０、放電電圧印加モジュール１２３０、及びインバータ１２４０で構成される。側壁１２２０は、底面１２１０の縁部に配置され収納空間を形成し、収納容器１２００は、面光源装置１００及び液晶表示パネル１３００を収納する。
【００４２】
底面１２１０は、面光源装置１００が装着されるのに充分な底面積及び面光源装置１００と同じ形状を有する。本実施形態において、底面１２１０は面光源装置１００と同様に直六面体プレート形状を有する。
【００４３】
放電電圧印加モジュール１２３０は、面光源装置１００の第１電極１４２及び第２電極１４４に放電電圧を印加する。放電電圧印加モジュール１２３０は、第１放電電圧印加モジュール１２３２及び第２放電電圧印加モジュール１２３４を含む。第１放電電圧印加モジュール１２３２は、第１導電本体１２３２ａ及び第１導電本体１２３２ａに形成された第１導電性クリップ１２３２ｂで構成される。第２放電電圧印加モジュール１２３４は、第２導電本体１２３４ａ及び第２導電本体１２３４ａに形成された第２導電性クリップ１２３４ｂで構成される。面光源装置１００に形成された第１電極１４２及び第２電極１４４は、第１導電性クリップ１２３２ｂ及び第２導電性クリップ１２３４ｂにグリップ（ｇｒｉｐ）され固定される。
【００４４】
インバータ１２４０は、第１放電電圧印加モジュール１２３２及び第２放電電圧印加モジュール１２３４に放電電圧を印加する。インバータ１２４０及び第１放電電圧印加モジュール１２３２は、第１電源印加線１２４２により接続され、インバータ１２４０及び第２放電電圧印加モジュール１２３４は、第２電源印加線１２４４により接続される。
【００４５】
液晶表示パネル１３００は、面光源装置１００から発生した光を情報が含まれたイメージ光に変換する。これを具現するために、液晶表示パネル１３００は、ＴＦＴ基板１３１０、液晶１３２０、カラーフィルター基板１３３０、及び駆動モジュール１３４０を含む。ＴＦＴ基板１３１０は、マトリックス形態で配置された画素電極、各画素電極に駆動電圧を印加する薄膜トランジスタ、ゲートライン及びデータラインを含む。カラーフィルター基板１３００は、ＴＦＴ基板１３１０に形成された画素電極と向かい合うように配置されたカラーフィルター、カラーフィルターの上面に形成された共通電極を含む。液晶１３２０は、ＴＦＴ基板１３１０とカラーフィルター基板１３３０との間に配置される。
【００４６】
一方、液晶表示パネル１３００のカラーフィルター基板１３３０の縁部はシャーシ１４００により囲まれ、シャーシ１４００の一部は収納容器１２００にフック結合される。シャーシ１２００は外部衝撃から脆性が弱い液晶表示パネル１３００の割れを防止及び液晶表示パネル１３００が収納容器１２００から離脱されることを防止する。
【００４７】
光拡散部材１１００は、面光源装置１００と液晶表示パネル１３００との間に配置され、面光源装置１００から出射された光を拡散させる。
【００４８】
（実験例）
従来の面光源装置と本発明による面光源装置から発生される電流偏流現象を比較するために、次の５個のサンプルを製作した。
【００４９】
表１は、面光源装置の５個の実験例に対するオン／オフテストを示す。
【００５０】
【表１】
2005142158.tif 000003
【００５１】
従来の蛇行構造の隔壁を有する面光源装置のサンプルＩ、連通孔を有する隔壁構造を含む面光源装置のサンプルII乃至サンプルIV、及び連通孔と障壁を有する隔壁構造を含む面光源装置のサンプルＶを製作した。サンプルII乃至Ｖは、中央部に連通孔が形成された隔壁を有する。サンプルIIの隔壁中央部に直径０.４６ｍｍの連通孔を形成した。サンプルIIIの隔壁中央部に直径０.４２ｍｍの連通孔を形成した。サンプルIVの隔壁下部に直径０.４２ｍｍの連通孔を形成した。
【００５２】
一方、本発明による面光源装置であるサンプルＶは、直径０.５ｍｍの連通孔が下部に形成された隔壁と、連通孔のいずれか一方にのみ配置された障壁を有する。各サンプルに形成された放電空間の幅は９.８ｍｍ、放電空間の高さは２.４ｍｍであった。又、各サンプルの上板に長さ２０ｍｍの電極、下板に長さ２５ｍｍの電極を設置した。サンプルＶにおいて、大略１×１ｍｍである平板形状の障壁を隔壁から大略１ｍｍ離隔された位置に配置した。
【００５３】
長さ４.７ｍｍの水銀ゲッター２０個を高周波加熱器で２０秒ずつ２回加熱し、各サンプルに水銀ガスを注入した。又、ネオンガスとアルゴンガスが９：１の重量比で混合されたガスを約6.7ｋPa（５０ｔｏｒｒ）の圧力下で各サンプルに注入した。
【００５４】
前述した条件下で各サンプルに対してオン／オフテストを実施した。各サンプルに電気の供給及び中断を反復した。前記表１に示すように、サンプルＩ乃至Ｖに１２０Ｖの電圧を印加して、総３０回のオン／オフテストを実施した。
【００５５】
サンプルＩ乃至Ｖの放電空間のうちの一つが点灯されない場合、点灯されない放電空間は光を発生しなく、面光源装置の輝度の均一性が低下された。サンプルＩでは、２８回の点灯されない放電空間が存在することが確認され、サンプルIIでは１０回、サンプルIIIでは７回、サンプルIVでは３回、サンプルＶでは１回が確認された。隔壁の端部が光源本体の内面と接触して放電空間が互いに隔離され、隔壁が連通孔を有する時、面光源装置の輝度均一性は大きく向上された。又、連通孔は隔壁の下部に位置するほど、電流偏流現象の抑制効果が向上された。
【産業上の利用可能性】
【００５６】
本発明によると、面光源装置が連通孔に隣接して配置された障壁を含んでプラズマの移動を制限することにより、電流偏流現象を抑制し、これにより、面光源装置の輝度均一性を向上させる。又、面光源装置が補助障壁を含むので、電流偏流現象がより大きく減少される。又、障壁の端部は、隔壁と接触してプラズマの移動を抑制する。
【００５７】
以上、本発明の実施形態によって詳細に説明したが、本発明はこれに限定されず、本発明が属する技術分野において通常の知識を有するものであれば本発明の思想と精神を離れることなく、本発明を修正または変更できる。
【図面の簡単な説明】
【００５８】
【図１】本発明の一実施形態による面光源装置を示す一部切開斜視図である。
【図２】図１の面光源装置を示す平面図である。
【図３】図２の面光源装置が有する隔壁の断面図である。
【図４】本発明の他の実施形態による面光源装置を示す平面図である。
【図５】本発明の更に他の実施形態による面光源装置を示す平面図である。
【図６】図５の面光源装置が有する隔壁の断面図である。
【図７】本発明の更に他の実施形態による面光源装置を示す平面図である。
【図８】図１の面光源装置を有する液晶表示装置の分解斜視図である。
【符号の説明】
【００５９】
１００    面光源装置
１０１    光源本体
１１０    第１基板
１１２、３１２    放電空間
１２０    第２基板
１３０、２３０、３３０    隔壁
１３１、３３１    連通孔
１３２、２３２、３３２    障壁
１４２    第１電極
１４４    第２電極
１５０    密封部材
２００、３００    面光源装置
２３３    補助障壁
１０００    液晶表示装置
１１００    光拡散部材
１２００    収納容器
１２１０    底面
１２２０    側壁
１２３０    放電電圧印加モジュール
１２３２    第１放電電圧印加モジュール
１２３２ａ    第１導電本体
１２３２ｂ    第１導電性クリップ
１２３４    第２放電電圧印加モジュール
１２３４ａ    第２導電本体
１２３４ｂ    第２導電性クリップ
１２４０    インバータ
１３００    液晶表示パネル
１３１０    ＴＦＴ基板
１３２０    液晶
１３３０    カラーフィルター基板
１３４０    駆動モジュール
１４００    シャーシ
【図１】
2005142158.tif 000004
【図２】
2005142158.tif 000005
【図３】
2005142158.tif 000006
【図４】
2005142158.tif 000007
【図５】
2005142158.tif 000008
【図６】
2005142158.tif 000009
【図７】
2005142158.tif 000010
【図８】
2005142158.tif 000011